(57)【特許請求の範囲】
【請求項１】
トンネル掘削面にコンクリート吹付けを行ってコンクリートの層を形成し、該掘削面を閉合状態として安定化させるトンネル掘削面の安定化工法において、
前記コンクリート吹付けに先立って、下記のＡ液，Ｂ液，Ｃ液の混合液であるアクリル酸系薬液をシェル形成薬液として前記掘削面に霧化ノズルから霧状に吹き付け、該薬液を該掘削面の表層に浸透させるとともにそれらＡ液，Ｂ液，Ｃ液を反応させて硬化させることにより該表層をシェル化せしめ、しかる後前記コンクリート吹付けを行うことを特徴とするトンネル掘削面の安定化工法。
Ａ液：アクリル酸又はメタアクリル酸の１価又は２価の金属塩水溶液
Ｂ液：アルミニウム水溶性塩の水溶液
Ｃ液：重亜硫酸塩水溶液
【請求項２】
請求項１において、前記Ａ液とＢ液とＣ液との混合比が、容量基準でＡ液：Ｂ液：Ｃ液＝１：０．９〜１．５：０．９〜１．５であることを特徴とするトンネル掘削面の安定化工法。
【請求項３】
請求項１，２の何れかにおいて、前記薬液のゲルタイムが３０秒以内であることを特徴とするトンネル掘削面の安定化工法。
【請求項４】
請求項１〜３の何れかにおいて、前記薬液の粘度が２５mPa・s以下であることを特徴とするトンネル掘削面の安定化工法。
【請求項５】
請求項１〜４の何れかにおいて、前記霧化ノズルからの前記薬液の吹付けを、エアレスで液の吐出圧により霧化して行うことを特徴とするトンネル掘削面の安定化工法。
【発明の詳細な説明】
【技術分野】
【０００１】
この発明はトンネル掘削面にコンクリート吹付けを行って掘削面を閉合状態とし、安定化させるトンネル掘削面の安定化工法に関し、特に地山が砂地山であって掘削面が剥落し易い場合の工法として好適な安定化工法に関する。
【背景技術】
【０００２】
従来、トンネル工事においては地山を掘削して行く際に、掘削面にコンクリート吹付けを行ってコンクリートの層を形成し、掘削面を閉合状態として安定化させることが行われている。
ところが地山が砂層を主体とする砂地山の場合、掘削面に直接コンクリート吹付けを行うと、その吹付圧で掘削面が剥落したり、吹き付けたコンクリートが掘削面の砂とともに剥落してしまい、また吹付けたコンクリートが掘削面に良好に付着しないといった問題が生じていた。
【０００３】
これを解決することを目的とした工法として下記特許文献１には、親水性ポリウレタン樹脂を主剤とした吹付材を掘削面に吹き付けてこれを表層に浸透及び硬化させ、表層を防護した上でコンクリート吹付けを行うようになした工法が開示されている。
【０００４】
しかしながらこのポリウレタン樹脂を主剤とした吹付材の場合粘度が高く、砂層を主体とした砂地山の表層に吹付材が十分に浸透し難く、また硬化時間も約２〜７分と長いため、コンクリート吹付けを行うまでの間、掘削面を十分に剥落防止することが難しいといった問題の他、反応成分が可燃性で火災の危険性があり、更にそれらの臭気がトンネル内に充満して作業環境を悪化させるといった問題がある。
【０００５】
砂地山の場合、吹付材の吹付けによってコンクリート吹付けまでの間、掘削面を一時的に安定状態に保つためには、吹付材の吹付けによって掘削面が剥落を起さず、また吹付材が吹付け後速やかに掘削面の表層に浸透し且つ浸透後直ちに硬化すること、その他に吹付材がトンネル内で火災を起す危険がなく、またその臭気によって作業環境を悪化させないことが求められるが、特許文献１に開示のものではこの条件を十分にみたすことができない。
【０００６】
尚、下記特許文献２には、コンクリート吹付けの際に生じる粉塵の発生等の問題を解決すべく、空気崩壊性又は膨張性掘削面にアクリル系エマルジョンを吹き付けて、掘削面とトンネル内の空気との接触を遮断し、掘削面の崩壊を抑止するようになした点が開示されている。
しかしながらこの特許文献２に開示のものは、コンクリート吹付けに代えてアクリル系エマルジョンを皮膜養生材として吹き付けるもので、コンクリート吹付けに先立つ事前処理乃至予備処理として吹付材を掘削面に吹き付けるといったものではなく、特許文献１或いは本発明とは工法の異なったものである。
【０００７】
またこのようなアクリル系エマルジョンを、砂層を主体とする砂地山の掘削面に吹き付けた場合、アクリル系エマルジョンの硬化のために長時間を要し、吹き付けたアクリル系エマルジョンが硬化するまでの間に表層がアクリル系エマルジョンの吹付けにより重みを増して、その重みによって掘削面が剥落してしまい、更にアクリル系エマルジョンは砂地山等において掘削面から内部への浸透性、即ち表層への浸透性が不十分で、これを仮にコンクリート吹付け前の事前の吹付処理に適用した場合、コンクリート吹付けまでの間、掘削面の剥落を十分に防止することができない。
【０００８】
その他に、下記特許文献３には山岳トンネル工法の補助工法についての発明が示され、そこにおいて地山に注入管を打設して、その注入管を通じ地山に以下のＡ，Ｂ，Ｃ，Ｄから成る組成物、即ちＡ：（メタ）アクリル酸（アクリル酸又はメタアクリル酸）の１価又は２価の金属塩、（Ｂ）３価金属塩又は／及びオキシアルキレン基と２個以上の（メタ）アクリロイル基を有する水溶性化合物、（Ｃ）重亜硫酸塩並びに（Ｄ）水から成る組成物を地山に圧入して反応硬化させ、地山を安定化した上で、掘削を行うようになした点が開示されている。
【０００９】
しかしながらこの特許文献３に開示の工法は、地山に打設した注入管から地山改良のための組成物を地山に圧入する工法であって、そこには砂地山等において掘削面が剥落するのを防止するための課題、具体的には吹付材の吹付けによって、その吹付圧により掘削面が剥落する問題、吹付材を如何にして掘削面の表層内部に浸透させるかの問題、吹付材を吹き付けた後に如何にして速やかにこれを硬化させるかの問題等をどのようにして解決するかといった課題は存在しない。即ち本発明が解決することを目的としている課題はそこには存しておらず、従って本発明の対象とする工法には適用できないものであって、本発明とは異なるものである。
【００１０】
【特許文献１】特公平４−３８８８０号公報
【特許文献２】特許第２７７６５４８号公報
【特許文献３】特開２００１−２１４６８７号公報
【発明の開示】
【発明が解決しようとする課題】
【００１１】
本発明は以上のような事情を背景とし、砂地山においても吹付材の吹付けによって掘削面が剥落することがなく、掘削後コンクリート吹付けまでの間、掘削面を良好に形状保持することができるとともに、吹付材の吹付け及び硬化を短時間で行い得て所要施工時間を短縮化でき、またコンクリートを吹き付けたときに掘削面に良好にコンクリートを付着させることができる、安全性，環境面においても良好なトンネル掘削面の安定化工法を提供することを目的としてなされたものである。
【課題を解決するための手段】
【００１２】
而して請求項１のものは、トンネル掘削面にコンクリート吹付けを行ってコンクリートの層を形成し、該掘削面を閉合状態として安定化させるトンネル掘削面の安定化工法において、前記コンクリート吹付けに先立って、下記のＡ液，Ｂ液，Ｃ液の混合液であるアクリル酸系薬液をシェル形成薬液として前記掘削面に霧化ノズルから霧状に吹き付け、該薬液を該掘削面の表層に浸透させるとともにそれらＡ液，Ｂ液，Ｃ液を反応させて硬化させることにより該表層をシェル化せしめ、しかる後前記コンクリート吹付けを行うことを特徴とする。
Ａ液：アクリル酸又はメタアクリル酸の１価又は２価の金属塩水溶液
Ｂ液：アルミニウム水溶性塩の水溶液
Ｃ液：重亜硫酸塩水溶液
【００１３】
請求項２のものは、請求項１において、前記Ａ液とＢ液とＣ液との混合比が、容量基準でＡ液：Ｂ液：Ｃ液＝１：０．９〜１．５：０．９〜１．５であることを特徴とする。
【００１４】
請求項３のものは、請求項１，２の何れかにおいて、前記薬液のゲルタイムが３０秒以内であることを特徴とする。
【００１５】
請求項４のものは、請求項１〜３の何れかにおいて、前記薬液の粘度が２５mPa・s以下であることを特徴とする。
【００１６】
請求項５のものは、請求項１〜４の何れかにおいて、前記霧化ノズルからの前記薬液の吹付けを、エアレスで液の吐出圧により霧化して行うことを特徴とする。
【発明の作用・効果】
【００１７】
以上のように本発明は、コンクリート吹付けに先立ってＡ液，Ｂ液，Ｃ液の混合液であるアクリル酸系薬液をシェル形成薬液として掘削面に霧化ノズルから霧状に吹き付け、これを掘削面から地山内部（表層）に浸透させるとともに硬化反応させて、表層をシェル化せしめ、即ち薬液の硬化体と地山表層の土粒子とでシェル形成せしめ、しかる後コンクリート吹付けを行うものである。
【００１８】
本発明では、上記薬液をトンネルの掘削面への吹付材として用いるが、この薬液は上記のように掘削面の表層に速やかに浸透且つ硬化反応して表層を所定厚みに亘りシェル化させる。
ここでＡ液のアクリル酸又はメタアクリル酸（（メタ）アクリル酸）の１価又は２価の金属塩は互いに重合反応して重合鎖を形成する。
一方Ｂ液のアルミニウム水溶性塩は重合鎖を結合する働きを有し、硬化体の強度を高める働きをなす。
尚Ｃ液の重亜硫酸塩は重合触媒としての働きをなす。
【００１９】
而して本発明では上記薬液の硬化反応によって掘削面の表層を所定厚みに亘ってシェル化せしめ、そしてそのシェルの形成によって掘削面を安定化させる。
従ってその後においてコンクリート吹付けを行ったときに掘削面を剥落させることがなく、良好にコンクリート吹付けを行うことができる。
【００２０】
本発明で用いる薬液は掘削面への吹付け後速やかに表層に浸透及び硬化反応するため、薬液の吹付けにより表層が重みを増して、そのこと自体が掘削面の剥落を助けてしまうといった問題を生じず、薬液の吹付けによって速やかに形成されたシェルが掘削面の表層に所定の強度を付与して、表層を良好に形状保持することができる。
また吹き付けた薬液が速やかに浸透及び硬化反応するため吹付け作業を短時間で行い得、しかも剥落を生ぜしめることなく良好にコンクリート吹付けを行い得ることから、掘削面の安定化施工のための所要時間を短縮化することができる。
【００２１】
更に薬液の吹付けによって掘削面が剥落を生じないことから、その剥落を生じた箇所に再び薬液を吹き付けるといったことを行わなくても良く、これにより薬液の使用量を少なくできるとともに、併せてこのことが施工時間を短縮化する上で有利に働く。
加えて上記薬液はトンネル内で火災を起す危険もなく、またトンネル内の作業環境を特に悪化させることもなく、トンネル内を良好な作業環境に保持することができる。
【００２２】
本発明において、上記Ａ液のアクリル酸又はメタアクリル酸の１価又は２価の金属塩としてはアルカリ金属塩，アルカリ土類金属塩等を単独で若しくは２種以上併せて用いることができる。
ここでアルカリ金属塩としてはナトリウム塩が、またアルカリ土類金属塩としてはマグネシウム塩が好適である。
またこのＡ液の濃度は１０〜４５重量％の範囲内とするのが好ましく、特にアルカリ土類金属塩の場合は１５〜４５重量％の範囲内とするのが好ましい。
【００２３】
一方Ｂ液のアルミニウム水溶性塩としては、例えば（メタ）アクリル酸アルミニウム，塩化アルミニウム，硝酸アルミニウム，硫酸アルミニウム，ミョウバン，ナトリウムミョウバン，酢酸アルミニウム，乳酸アルミニウム，ポリ塩化アルミニウム，ポリ硫酸塩化アルミニウム等を用いることができるが、特にポリ塩化アルミニウムが好適である。
これらは単独で若しくは２種以上組み合わせて用いることができる。
またＢ液の濃度としては１０〜７０重量％が好ましく、特に３０〜５０重量％の範囲内とすることが好ましい。
他方Ｃ液の重亜硫酸塩としては重亜硫酸のアルカリ金属塩を用いることができ、特に重亜硫酸のナトリウム塩，カリウム塩が好適である。
このＣ液の濃度は０．５〜１０重量％の範囲内としておくことが望ましく、特に１〜５重量％の範囲内としておくことが望ましい。
【００２４】
本発明において、Ａ液とＢ液とＣ液との混合比は、好適には容量基準でＡ液：Ｂ液：Ｃ液＝１：０．９〜１．５：０．９〜１．５とする（請求項２）。
Ｂ液の混合比が０．９未満であると薬液の反応硬化体の強度が不十分となる。
一方１．５を超えると薬液の浸透性が低下する。
このＢ液のより好ましい混合比は１．０〜１．３の範囲内である。
【００２５】
一方Ｃ液についてはその混合比が０．９未満であると反応硬化体の強度が不十分となり、逆に１．５を超えると反応速度が速くなり過ぎてしまい、表層に薬液が十分に浸透する以前に硬化してしまい浸透性が低下してしまう。
このＣ液のより好ましい混合比は１．０〜１．３の範囲内である。
Ｃ液の重亜硫酸塩は重合触媒として働くものであり、従ってその濃度を調節することで薬液の反応硬化速度を適宜に調節することが可能である。
尚本発明においては必要に応じて骨材その他を配合しておくことが可能である。
【００２６】
本発明では、上記薬液のゲルタイム（硬化時間）を３０秒以内としておくことが望ましい（請求項３）。
即ちゲルタイムが３０秒以内となるように薬液を調製しておくことが望ましい。
薬液のゲルタイムがこれよりも長くなると、特に上向きの吹付けの際に、吹き付けた薬液が垂れ下がってつらら様に硬化してしまう現象を生じる。
しかるに請求項３に従って薬液のゲルタイムを３０秒以内としておくことで、こうした現象の発生を良好に回避することができるとともに、表層に浸透した薬液が速やかに硬化反応することによって、薬液が硬化するまでの間に掘削面が剥落してしまうといったことを良好に防止することができる。
尚、薬液のゲルタイムが短か過ぎるとノズル閉塞等の不具合を生じるため、ゲルタイムは短くても５秒以上となしておくことが望ましい。
【００２７】
本発明ではまた、薬液の粘度を２５mPa・s以下となしておくことが望ましい（請求項４）。
薬液の粘度をこのような低い粘度となしておくことにより、掘削面に吹き付けた薬液を速やかに掘削面の表面から奥部に、即ち表層に浸透させることができる。
また薬液をこのような低い粘度としておくことで、霧化ノズルから薬液を霧化して掘削面に吹き付ける際、薬液を良好に霧化することができる。尚薬液の粘度の下限値は好ましくは１mPa・s以上としておく。
【００２８】
本発明ではまた、霧化ノズルから薬液の吹付けを行うに際し、エアレスで液の吐出圧により霧化して行うようになすことが望ましい（請求項５）。
エアの吹出しによって薬液を霧化し、吹き付けるようになした場合、そのエア圧によって掘削面が剥落を生じてしまう恐れがある。
しかるにこの請求項５に従ってエアレスで液の吐出圧により薬液を霧化して霧化ノズルから吹き付けるようにすれば、掘削面のエア圧による剥落を防止して良好に薬液の吹付けを行うことができる。
【発明を実施するための最良の形態】
【００２９】
次に本発明の実施形態を説明する。
図１において、１０は砂層を主体とした砂地山で、本実施形態では掘削機等によってトンネルを掘削し、その際に掘削面１２に対して先ず図２に示しているようにアクリル酸系薬液を吹付装置１４を用いて吹付処理する。
【００３０】
吹付装置１４は、液供給装置１６と混合霧化装置１８とを有しており、Ａ液タンク２０，Ｂ液タンク２２，Ｃ液タンク２４にそれぞれ収容したアクリル酸系薬液における上記のＡ液とＢ液とＣ液とを、それぞれホース２６，２８，３０を通じてポンプにより混合霧化装置１８へと所定の圧力で供給する。
ここでＡ液タンク２０，Ｂ液タンク２２，Ｃ液タンク２４は、それぞれの液に鉄分が混入しないようにステンレス製のものが用いられている。
尚これらＡ液タンク２０，Ｂ液タンク２２，Ｃ液タンク２４として、鉄分を混入させる恐れのない他の材質から成る容器を用いることも可能である。
【００３１】
混合霧化装置１８は、分岐管３２，３４，３６と合流混合部３８とを有しており、各分岐管３２，３４，３６のそれぞれにホース２６，２８，３０が接続されている。
またこれらホース２６，２８，３０とは反対側において吐出管４０がカプラ４２にて合流混合部３８に接続されており、Ａ液タンク２０，Ｂ液タンク２２，Ｃ液タンク２４からホース２６，２８，３０を通じて送られたＡ液とＢ液とＣ液とが、この合流混合部３８で合流及び混合された上、吐出管４０へと送られる。
吐出管４０の先端部には霧化ノズル４４が設けられており、吐出管４０からの混合液、即ちアクリル酸系薬液が霧化されて掘削面１２へと霧状に吹き付けられる。
【００３２】
本実施形態では、この混合霧化装置１８についても各液に鉄分を混入させることのないステンレス製のものが用いられている。
ただし鉄分を混入させる恐れのないものであれば他の材質でこれを構成することもできる。
本実施形態において液中に鉄分を混入させないようにしているのは、鉄分が液中に混入するとその鉄分によって混合液、即ちアクリル酸系薬液の硬化時間（ゲルタイム）が影響され、硬化時間にばらつきが生じるのを防ぐためである。
【００３３】
本実施形態では、上記の薬液をエアレスで吐出管４０からの液の吐出圧に基づいて霧化し、掘削面１２に吹き付ける。
そのため本実施形態では、霧化ノズル４４として液の吐出圧でこれを霧化することのできるノズルが用いられている。
本実施形態において、霧化ノズル４４から霧状に掘削面１２に吹き付けた薬液は、吹付後速やかに表層に浸透及び硬化反応して表層をシェル化する。
【００３４】
尚本実施形態では、重合触媒としてのＣ液が単独で混合霧化装置１８の合流混合部３８へと送られ、そこで始めて他のＡ液及びＢ液と合流及び混合された上で、霧化ノズル４４から霧状に吹き付けられる。
この重合触媒としてのＣ液は予めＢ液と混合しておいて、その混合状態で混合霧化装置１８へと送ってＡ液と混合させるようになすことも可能であるが、この場合Ｃ液の混合によってＢ液自体の反応が進んでしまい、液ライフが短くなってしまう。
しかるにこの実施形態ではＡ液とＢ液とＣ液とを、それぞれ単独に混合霧化装置１８へと供給して、そこでそれぞれの液を混合し、霧化ノズル４４で霧化して吹き付けるようにしているため上記の問題を生じない。
更にまた予めＡ液とＢ液とＣ液とを人手で混合しておいて、その混合液を混合霧化装置１８に送って吹付けを行う場合に比べ、施工現場での人手による液の混合作業を省くことができる。
【００３５】
図１（II）において、４６はこのようにして形成されたシェルを表している。
このシェル４６は、砂地山１０の表層を構成する土粒子と、そこに浸透して硬化した薬液の反応硬化体とで構成されている。このシェル４６は所定の強度を有するもので、かかるシェル４６の形成により掘削面１２が良好に形状保持され、続いて行われる１次コンクリート吹付けまでの間、更に１次コンクリート吹付けの際に掘削面１２が剥落するのが良好に防止される。
【００３６】
以上のようにして表層をシェル化したら、次に掘削面１２に対して１次コンクリート吹付けが行われ、次いで２次コンクリート吹付けが行われ、図３に示しているようにシェル４６の内面に、１次及び２次コンクリート吹付けによるコンクリートの層４８が形成される。
このコンクリートの層４８によって掘削面１２が閉合状態とされ安定化される。
尚、実際の施工にあたっては１次コンクリート吹付け後、Ｈ型鋼から成るアーチ状の支保工が設置され、２次コンクリート吹付けがその後において行われる。
そして１次及び２次コンクリート吹付けによって形成された図３に示すコンクリートの層４８が、砂地山１０へのロックボルトの設置によって砂地山１０と一体化され、引き続いて掘削機等によるトンネルの掘進が行われる。
そして最終的に型枠へのコンクリートの流し込み及び固化によって、所定厚みの覆工コンクリートが形成され、トンネル構築物が構成される。
【００３７】
本実施形態で用いる薬液は、掘削面１２への吹付け後速やかに表層に浸透及び硬化反応することから、薬液の吹付けにより表層が重みを増してそのこと自体が掘削面１２の剥落を助けてしまうといった問題を生じず、薬液の吹付けによって速やかに形成されたシェル４６が掘削面１２の表層に所定の強度を付与して、表層を良好に形状保持することができる。
また吹き付けた薬液が速やかに浸透及び硬化反応するため吹付け作業を短時間で行い得、しかも剥落を生ぜしめることなく良好に１次コンクリート吹付けを行い得ることから、掘削面１２の安定化施工のための所要時間を短縮化することができる。
【００３８】
更に薬液の吹付けによって剥落を生じないことから、その剥落を生じた箇所に再び薬液を吹付ける作業を行う必要がなくこれにより薬液の使用量を少なくできるとともに、併せてこのことによって施工時間をより短縮化することができる。
また上記薬液はトンネル内で火災を起す危険もなく、またトンネル内の作業環境を特に悪化させることもなく、トンネル内を良好な作業環境に保持することができる。
【００３９】
本実施形態ではまた、霧化ノズル４４から薬液の吹付けを行うに際し、エアレスで液の吐出圧により霧化して行うようになしていることから、掘削面１２のエア圧による剥落を防止して良好に薬液の吹付けを行うことができる。
【実施例】
【００４０】
４号けい砂と７号けい砂とを１：１の比率で混合して図４（Ａ）に示すような砂山４９を造り、下部に直径Ｄ＝φ３００ｍｍ，奥行２５０ｍｍの空洞５０を造って、その内面に以下の組成のアクリル酸系薬液を図２の吹付装置１４を用いて吹き付けた。
Ａ液  ３５％アクリル酸マグネシウム水溶液（２０℃における比重１．１９）
Ｂ液  ４０％ポリ塩化アルミニウム水溶液（２０℃における比重１．３３）
Ｃ液  １．０％重亜硫酸ナトリウム水溶液（２０℃における比重１．００）
混合粘度（mPa・s）  １０
ゲルタイム（硬化時間）（秒）  ２０
混合比（Ａ：Ｂ：Ｃ、重量比）  １：１．２：１．２
混合比重（理論値）  １．１６
発泡倍率  無発泡
尚、液の吐出量（混合液の吐出量）は２ｋｇ／分とした。
【００４１】
この実施例では、混合液の粘度が１０mPa・sと低く、またゲルタイム（硬化時間）が２０秒と短いため、吹付装置１４にて薬液を霧状に吹き付けると、吹き付けられた薬液が速やかに空洞５０内面から浸透及び硬化反応して、空洞５０周りにシェル５１（図４(Ｂ)）を形成した。
その際、空洞５０内面からの砂の剥落は殆ど認められなかった。
【００４２】
図４（Ｂ）は、そのシェル５１を砂山４９から取り出して示したものである。
このシェル５１の厚みＴを測定したところ約１０ｍｍであった。
このシェル５１は所定の強度を有しており、取扱中良好に形状を保持し崩れることがなかった。
また薬液の吹付け及び硬化反応によって形成されたシェル５１の内面にコンクリート吹付けを行ったところ、コンクリート吹付けを良好に行うことができた。
また薬液のゲルタイムが２０秒と短く且つ浸透性の高いものであるため、薬液の吹付けの際に、図５に示すような液垂れの現象を生じるのを防止することができた。
図５において、５２はその液垂れ及びその後の硬化によって生じたつらら様の硬化体を表している。
【００４３】
以上本発明の実施形態及び実施例を説明したがこれはあくまで一例示であり、本発明はその趣旨を逸脱しない範囲において種々変更を加えた態様で実施可能である。
【図面の簡単な説明】
【００４４】
【図１】本発明の一実施形態のトンネル掘削面の安定化工法の説明図である。
【図２】同工法の要部工程を薬液の吹付装置とともに示した図である。
【図３】図１に続く工程の説明図である。
【図４】実施例の説明図である。
【図５】薬液の吹付けにより生じる液垂れの説明図である。
【符号の説明】
【００４５】
１２  掘削面
４４  霧化ノズル
４６，５１  シェル
４８  コンクリートの層
【図１】
0004788278.tif 000002
【図２】
0004788278.tif 000003
【図３】
0004788278.tif 000004
【図４】
0004788278.tif 000005
【図５】
0004788278.tif 000006